(57)【特許請求の範囲】
【請求項１】
人体局部洗浄用の水が流通する洗浄水流路と先端が閉じて他端が開口した空洞部とを備える洗浄ノズルと、
一端側が前記洗浄ノズルの前記空洞部に挿入され、前記洗浄ノズルの長さ方向に沿って進退動可能な押出部材と、
前記押出部材を進退動させる駆動部と、
前記空洞部の内壁に設けた凹状もしくは穴状の係止部用収容部に摺動可能に挿入され、前記押出部材を後退させる際に前記押出部材を後退方向に対して係止する係止部と、を備え、
前記押出部材が前記駆動部によって前記空洞部内を前進することで前記洗浄ノズルを前進させ、前記係止部によって係止された前記押出部材が前記駆動部によって前記空洞部内を後退することで前記洗浄ノズルを後退させ、
前記洗浄ノズルは、長さ方向に略平行に配置された第一洗浄ノズルと第二洗浄ノズルとからなり、
前記押出部材は、一端側の第一ノズル押出部が前記第一洗浄ノズルの前記空洞部に挿入され、他端側の第二ノズル押出部が前記第二洗浄ノズルの前記空洞部に挿入され、中間部が曲げられて前記第一ノズル押出部と前記第二ノズル押出部とが略平行になるように配置され、
前記第一洗浄ノズルと前記第二洗浄ノズルとを出入り可能に収容するノズル収容部を備え、
前記第一洗浄ノズルの前記空洞部には前記ノズル収容部内に引き込む際に前記押出部材の前記第一ノズル押出部が前記係止部によって係止され、
前記第二洗浄ノズルの前記空洞部には前記ノズル収容部内に引き込む際に前記押出部材の前記第二ノズル押出部が前記係止部によって係止される、人体局部洗浄装置。
【請求項２】
前記第一洗浄ノズルまたは前記第二洗浄ノズルを前記ノズル収容部内に引き込んだときに前記係止部の係止を解除する係止解除機構を備え、
前記押出部材は、前記第一ノズル押出部および前記第二ノズル押出部のうち一方の前記係止部への係止を前記係止解除機構によって解除させた後に他方が前記第一洗浄ノズルまたは前記第二洗浄ノズルの先端を押し出すように移動可能な、請求項１に記載の人体局部洗浄装置。
【請求項３】
前記係止解除機構は、
前記ノズル収容部内に配設されたストッパと、
前記第一洗浄ノズルおよび前記第二洗浄ノズルの前記空洞部内に延在するロックピンと、
前記第一洗浄ノズルおよび前記第二洗浄ノズルの前記空洞部内壁に設けられた係止部用収容部から突設され、前記第一ノズル押出部または前記第二ノズル押出部に係止する前記係止部と、
前記係止部用収容部の底部から開口部へと前記係止部を付勢する付勢部材とを備え、
前記ロックピンが前記ストッパに当接したときに前記ロックピンが前記係止部を前記係止部用収容部の内部に押し込んで前記係止部と前記第一ノズル押出部または前記第二ノズル押出部との係止を解除する、請求項２に記載の人体局部洗浄装置。
【請求項４】
前記係止部は、前記第一洗浄ノズルおよび前記第二洗浄ノズルの前記空洞部の開口端側より先端側の突出が大となるように傾斜形成され、前記傾斜に前記ロックピンが当接される、請求項３に記載の人体局部洗浄装置。
【請求項５】
前記係止解除機構は、
前記ノズル収容部に配設された吸引部材と、
前記洗浄ノズルの前記空洞部内壁に設けられた係止部用収容部から突設され、前記第一ノズル押出部または前記第二ノズル押出部に係止する前記係止部とを備え、
前記吸引部材と前記係止部のうち少なくともいずれか一方は磁気を発生し、他方は磁気によって吸引され、前記第一洗浄ノズルおよび前記第二洗浄ノズルが所定位置に到達したときに、前記吸引部材と前記係止部との間の磁力により、前記吸引部材が前記係止部を引き寄せ、前記係止部と前記第一ノズル押出部または前記第二ノズル押出部との係止を解除する、請求項２に記載の人体局部洗浄装置。
【請求項６】
前記第一ノズル押出部側の前記押出部材と、前記第二ノズル押出部側の前記押出部材と、の間に前記駆動部が配置され、
前記駆動部と前記第一ノズル押出部側の前記押出部材および前記第二ノズル押出部側の前記押出部材を係回させると共に、前記押出部材を前記第一洗浄ノズルと前記第二洗浄ノズルを略平行に進退動し得るようガイドするガイド部材が、前記押出部材の前記駆動部と係回する反対側の面に当接する、請求項１〜５のいずれか一項に記載の人体局部洗浄装置。
【発明の詳細な説明】
【技術分野】
【０００１】
本発明は、温水洗浄便座の人体局部洗浄装置に関し、詳しくは洗浄ノズル駆動手段に係るものである。
【背景技術】
【０００２】
従来技術の人体局部洗浄装置として、図１０に示すように便器１０１の後方上部に設置され、人体局部に向かって洗浄水を噴出するノズル本体１０６を、差動的伝動手段１１０により進退させる人体局部洗浄装置１００が開示されている。この人体局部洗浄装置１００は、便座１０１に取付ボルト１０５により固定されたノズル支持体１０２と、ノズル本体１０６と、モータ（図示せず）の減速器（図示せず）に挿着したピニオンギヤ１１１と、により構成される。
【０００３】
ノズル本体１０６は、便器１０１内方に指向して、ノズル支持体１０２のノズルガイド孔１０３に進退可能に支承され、下先端側の上方に噴出孔１０７と、内部に給水源に直通する導水孔１０８と、を備えると共に、軸方向上側の下面に可動ラック部１０９が形成される。また、ノズル本体１０６は、給水源からの流路である給水チューブ１１３の外周面を摺動できるように摺動シール１１２が設けられる。
【０００４】
ノズル支持体１０２には、ノズル本体１０６の可動ラック部１０９に対面する固定ラック１０４が形成される。
【０００５】
差動的伝動手段１１０は、モータと、減速器と、ピニオンギヤ１１１と、可動ラック部１０９と、固定ラック１０４と、により構成される。ピニオンギヤ１１１は可動ラック部１０９と固定ラック１０４の間に設けられ、可動ラック部１０９と固定ラック１０４と、に係合する。また、モータはノズル本体１０６が進退すると、ノズル本体１０６の進退と同じ方向へ進退するように設置される（例えば、特許文献１参照。）。
【０００６】
また、進退自在に並設してある一対の洗浄用ノズル（おしり洗浄用ノズルと、ビデ洗浄用ノズル）と、回転運動を発生させるモータと、モータの回転運動を伝達して一対の洗浄用ノズルを進退させる駆動伝達機構と、を備えた局部洗浄装置が開示されている。この駆動伝達機構は、モータ軸に直結する一軸上にその軸方向に所定距離を隔てて一対の扇型歯車部を設けて成る振分伝達部と、振分伝達部の各扇型歯車部と一対一で噛合う一対の増回転伝達部と、一対の洗浄用ノズルの対向面にそれぞれ長手方向に設けられて、各回転伝達部と、一対一で連結して回転伝達部の回転運動を直線方向の進退運動に変換する進退伝達部と、を備える。そして、各扇型歯車部は重ならないように軸上に配置されると共に、増回転伝達部である一対の小径ギヤと噛合い可能に配置される。これにより一方の洗浄用ノズルの進退時には、他方の洗浄用ノズルは停止するように振分けられる（例えば、特許文献２参照。）。
【０００７】
また、ビデ及びおしりのそれぞれに対向配置される洗浄水の噴出口が先端部に形成されたノズル本体が、洗浄水路と同軸上に且つこれに沿って進退自在に設けられたビデ洗浄ノズル及びおしり洗浄ノズルを備え、且つ駆動源に接続され、引掛手段を備えた動力伝達手段が、それら洗浄ノズルの間に配設されると共に、この引掛手段と係合可能とした係合手段が、ビデ洗浄ノズル及びおしり洗浄ノズルのノズル本体に設けられた洗浄ノズル装置が開示されている。この洗浄ノズル装置は、駆動源から投入される動力によって引掛手段が移動し、ビデ洗浄ノズル及びおしり洗浄ノズルのいずれか一方の係合手段と係合し、ノズル本体を洗浄水路に沿って前進させ、局部洗浄可能な位置に配置させる。そして、ビデ洗浄ノズル及びおしり洗浄ノズルは、各々のノズル本体に内蔵した弾性部材のノズル本体前進時に蓄積された復元力により初期位置に復帰される（例えば、特許文献３参照。）。
【先行技術文献】
【特許文献】
【０００８】
【特許文献１】特開昭６３−３００１３４号公報
【特許文献２】特開２００４−２５７０９３号公報
【特許文献３】特開平９−１１９１６１号公報
【発明の概要】
【発明が解決しようとする課題】
【０００９】
しかしながら、特許文献１によれば、おしり用とビデ用の洗浄装置１００をそれぞれ便器１０１に設置することになり、洗浄装置が大型化して洗浄装置の設置空間が大きくなる問題がある。
【００１０】
また、ピニオンギヤ１１１の移動量Ｌに対して、ノズル本体１０６のノズル支持体１０２に対する移動量は２Ｌであるので、可動ラック部１０９の長さはノズル本体１０６の移動量２Ｌの半分の長さで良い。しかし、ノズル本体１０６の可動ラック部１０９の一部が洗浄使用時に便器１０１内に露出され、人体局部洗浄の際に飛散する汚水、汚物等が可動ラック部１０９の露出部分に付着する。これにより、ピニオンギヤ１１１と、固定ラック１０４および可動ラック部１０９との噛合い不良に基づく作動不良やロックを引起す問題がある。また、固定ラック１０４、可動ラック部１０９、およびピニオンギヤ１１１に付着した汚物により臭気が発生すると共に、清浄性を確保できない問題がある。
【００１１】
また、特許文献２によれば、各回転伝達部である各大径ギヤは、各洗浄用ノズルの各進退伝達部（各ラック）に噛合い、洗浄用ノズルは大径ギヤの回転移動距離と同じ距離移動する。このため、各進退伝達部の長さは特許文献１の可動ラック部１０９の２倍の長さになり、人体局部洗浄使用時における洗浄用ノズルを伸長した状態では、進退伝達部の先端側が便器内に露出する。結果、人体局部洗浄使用時に飛散する汚水や汚物が進退伝達部に付着するので、駆動伝達機構の作動不良やロックを引起す問題がある。また、進退伝達部が便器内に露出するので見栄えも悪く、さらには汚物などが進退伝達部の歯底に蓄積し、清掃性が悪い問題がある。
【００１２】
また、特許文献３によれば、ビデ洗浄ノズルとおしり洗浄ノズルの各噴水口側は接近して配置されているが、動力伝達手段側は、動力伝達手段の大きな駆動プーリを挟み、駆動プーリの外径より大きな距離離間して配置される。このため、洗浄ノズル装置が大型化して洗浄装置の占有空間が大きくなる問題がある。
【００１３】
本発明は上記問題点に鑑みてなされたものであり、人体局部洗浄の際に飛散する汚水や汚物による作動不良やロックが起り難く、且つ清浄性、清掃性の良好であり、進退動が可能な洗浄ノズルを有する人体局部洗浄装置を提供することを目的とする。
【課題を解決するための手段】
【００１４】
上記課題を解決するため、請求項１に記載の発明は、人体局部洗浄用の水が流通する洗浄水流路と先端が閉じて他端が開口した空洞部とを備える洗浄ノズルと、一端側が前記洗浄ノズルの前記空洞部に挿入され、前記洗浄ノズルの長さ方向に沿って進退動可能な押出部材と、前記押出部材を進退動させる駆動部と、前記空洞部の内壁に設けた凹状もしくは穴状の係止部用収容部に摺動可能に挿入され、前記押出部材を後退させる際に前記押出部材を後退方向に対して係止する係止部と、を備え、前記押出部材が前記駆動部によって前記空洞部内を前進することで前記洗浄ノズルを前進させ、前記係止部によって係止された前記押出部材が前記駆動部によって前記空洞部内を後退することで前記洗浄ノズルを後退させ、前記洗浄ノズルは、長さ方向に略平行に配置された第一洗浄ノズルと第二洗浄ノズルとからなり、前記押出部材は、一端側の第一ノズル押出部が前記第一洗浄ノズルの前記空洞部に挿入され、他端側の第二ノズル押出部が前記第二洗浄ノズルの前記空洞部に挿入され、中間部が曲げられて前記第一ノズル押出部と前記第二ノズル押出部とが略平行になるように配置され、前記第一洗浄ノズルと前記第二洗浄ノズルとを出入り可能に収容するノズル収容部を備え、前記第一洗浄ノズルの前記空洞部には前記ノズル収容部内に引き込む際に前記押出部材の前記第一ノズル押出部が前記係止部によって係止され、前記第二洗浄ノズルの前記空洞部には前記ノズル収容部内に引き込む際に前記押出部材の前記第二ノズル押出部が前記係止部によって係止される。
【００１５】
また、請求項２に記載の発明は、第一洗浄ノズルまたは第二洗浄ノズルをノズル収容部内に引き込んだときに係止部の係止を解除する係止解除機構を備え、押出部材は、第一ノズル押出部および第二ノズル押出部のうち一方の係止部への係止を係止解除機構によって解除させた後に他方が第一洗浄ノズルまたは第二洗浄ノズルの先端を押し出すように移動可能である。
【００１６】
また、請求項３に記載の発明は、係止解除機構は、ノズル収容部内に配設されたストッパと、第一洗浄ノズルおよび第二洗浄ノズルの空洞部内に延在するロックピンと、第一洗浄ノズルおよび第二洗浄ノズルの空洞部内壁に設けられた係止部用収容部から突設され、第一ノズル押出部または第二ノズル押出部に係止する係止部と、係止部用収容部の底部から開口部へと係止部を付勢する付勢部材と、を備え、ロックピンがストッパに当接したときにロックピンが係止部を係止部用収容部の内部に押し込んで係止部と第一ノズル押出部または第二ノズル押出部との係止を解除する。
【００１７】
また、請求項４に記載の発明は、係止部は、第一洗浄ノズルおよび第二洗浄ノズルの空洞部の開口端側より先端側の突出が大となるように傾斜形成され、傾斜にロックピンが当接される。
【００１８】
また、請求項５に記載の発明は、係止解除機構は、ノズル収容部に配設された吸引部材と、洗浄ノズルの空洞部内壁に設けられた係止部用収容部から突設され、第一ノズル押出部または第二ノズル押出部に係止する係止部と、から構成され、吸引部材と係止部のうち少なくともいずれか一方は磁気を発生し、他方は磁気によって吸引され、第一ノズル洗浄および第二洗浄ノズルが所定位置に到達したときに、吸引部材と係止部との間の磁力により、吸引部材が係止部を引き寄せ、係止部と第一ノズル押出部または第二ノズル押出部との係止を解除する。
【００１９】
また、請求項６に記載の発明は、第一ノズル押出部側の押出部材と、第二ノズル押出部側の押出部材と、の間に駆動部が一つ配置され、駆動部と第一ノズル押出部側の押出部材および第二ノズル押出部側の押出部材を係回させると共に、押出部材を第一洗浄ノズルと第二洗浄ノズルを略平行に進退動し得るようガイドするガイド部材が、押出部材の駆動部と係回する反対側の面に当接する。
【発明の効果】
【００２２】
請求項１に記載の発明では、押出部材の前進により人体局部洗浄位置に移動した洗浄ノズルの洗浄水流路から流水する洗浄水で人体局部を洗浄する際、汚水や汚物が周囲に飛び散り、洗浄ノズルの便器内に露出されている外面に汚水や汚物が付着する。しかし、押出部材は洗浄ノズルの先端が閉じられた空洞部に挿入されているので、押出部材への汚水や汚物の飛散は阻止される。また、押出部材の後退時には,空洞内に設けられた係止部が押出部材を係止することで、洗浄ノズルが押出部材と一体となって後退することで洗浄ノズルの進退動が可能となる。結果、人体局部洗浄の際に飛び散る汚水や汚物の押出部材への付着が防止でき、汚水や汚物の付着による作動不良やロックが起り難く、且つ清浄性、清掃性が良好であり、進退動が可能な洗浄ノズルを有する人体局部洗浄装置を提供できる。
【００２３】
また、第一洗浄ノズルと第二洗浄ノズルとが略平行に配置されると共に、押出部材の中間部が曲げられ、第一ノズル押出部と第二ノズル押出部とが略平行になるように配置される。結果、洗浄ノズルは、上下左右に並設させることができ、人体局部洗浄装置の洗浄ノズル進退方向に直交する方向の長さが短縮される。
【００２４】
また、第一ノズル押出部と第二ノズル押出部と、を備えた押出部材の中間部が曲げられるので、人体局部洗浄装置の洗浄ノズル進退方向の長さが短縮される。
【００２５】
また、第一ノズル押出部と第二ノズル押出部は押出部材の両端に設けられるので、第一ノズル押出部と第二ノズル押出部とにそれぞれ駆動部を設けることなく、一つの駆動部で各ノズル押出部を進退動できる。従って、第一ノズル押出部と第二ノズル押出部の一方で一方側の洗浄ノズルを押圧して人体局部洗浄位置に押出（前進）でき、人体局部洗浄装置の構成が簡素になる。
【００２６】
以上により、人体局部洗浄装置を、小型化でき、設置空間も小さくできる。
【００２７】
また、各洗浄ノズルの空洞部にはノズル収容部内に引き込む際に押出部材の第一ノズル押出部または第二ノズル押出部に係止する係止部がそれぞれ備えられる。従って、一つの駆動部により、第一ノズル押出部または第二ノズル押出部を係止部に係止させることにより、第一洗浄ノズルまたは第二洗浄ノズルの一方を人体局部洗浄位置からノズル収容部内へ収容できる。結果、第一、第二洗浄ノズルをノズル収容部内へ収容させる機構が簡素になり、人体局部洗浄装置を小型化できる。
【００２８】
さらに、第一洗浄ノズルと第二洗浄ノズルと、を出入り可能に収容するノズル収容部を備えている。これにより、人体局部洗浄位置にある各洗浄ノズルをノズル収容部に引き込む際に、人体局部洗浄時に各洗浄ノズルの外面に付着した汚水や汚物は、ノズル収容部の引き込み口の端部で離脱され、ノズル収容部には汚水や汚物が溜まり難い。
【００２９】
請求項２に記載の発明では、第一洗浄ノズルと第二洗浄ノズルは、それぞれ係止部の係止を解除する係止解除機構を備えている。これにより、例えば、ノズル収容部に収容された第一洗浄ノズル側の係止解除機構が解除されている場合は、第一ノズル押出部は後退しても係止部を通過できる。従って、第一洗浄ノズルのノズル収容部３１での停止状態を維持しつつ、第一ノズル押出部は係止部を通過して、空洞部内で後退できる。第一ノズル押出部が後退すると、第二ノズル押出部が前進され、第二洗浄ノズルを押圧して、ノズル収容部内の第二洗浄ノズルを人体局部洗浄位置へ移動する。これにより、第一洗浄ノズルのノズル収容部の長さは、上述の第一ノズル押出部の略後退距離、即ち、第二洗浄ノズルのノズル収容部位置から人体局部洗浄位置への略移動距離分、短縮できる。第二洗浄ノズルのノズル収容部の長さも同様に短縮できる。
【００３０】
請求項３に記載の発明では、係止解除機構は、第一洗浄ノズルまたは第二洗浄ノズルが後退して、ロックピンがストッパに当接すると、ロックピンが係止部を係止部用収容部の内部に押し込んで、係止部と第一ノズル押出部または第二ノズル押出部との係止を解除する。
【００３１】
請求項４に記載の発明では、ロックピンの両端が、それぞれ係止部の形成された傾斜とストッパとに当接した状態で、第一ノズル押出部または第二ノズル押出部が係止部に係止されると係止部は傾斜部分の傾斜に沿って係止部用収容部の内方に移動する。これにより、第一ノズル押出部または第二ノズル押出部の係止部との係止が解除され、第一洗浄ノズルまたは第二洗浄ノズルを後退させずに停止状態を維持しつつ、第一ノズル押出部または第二ノズル押出部は係止部を通過して後退できる。
【００３２】
請求項５に記載の発明では、各ノズル洗浄が所定位置に到達したときに、吸引部材と係止部との間の磁力の相互作用により、吸引部材が係止部を引き寄せ、係止部と第一ノズル押出部先端側または第二ノズル押出部先端側との係止が解除される。
【００３３】
請求項４に記載のロックピンとストッパが不要になるので、ノズル収容部の洗浄ノズルの進退方向の長さがさらに短縮でき、人体局部洗浄装置は、さらに小型化できる。
【００３４】
請求項６に記載の発明では、第一ノズル押出部側の押出部材と第二ノズル押出部側の押出部材と、の間に配置される駆動部は一つあれば良く、またガイド部材により押出部材が、第一洗浄ノズルと第二洗浄ノズル略平行に進退動する。これにより、洗浄ノズルの進退方向に直交する方向の長さが短縮され、小型化できる。
【００３５】
また、ガイド部材により押出部材が、第一洗浄ノズルと第二洗浄ノズル略平行に進退動するので、駆動部の駆動力が、分散されずに第一洗浄ノズルと第二洗浄ノズルの略進退動方向に作用する。結果、駆動部の駆動力が、押出部材を介して効率良くに伝達される。
【図面の簡単な説明】
【００３６】
【図１】実施形態１に係る人体局部洗浄装置の説明図である。
【図２】図１のＡ方向から視た部分図である。
【図３】図１のＢ方向から視た部分図である。
【図４】図１のビデ洗浄ノズルが洗浄位置にある状態の図である。
【図５】図１のビデ洗浄ノズルの洗浄位置への前進作動の説明図である。
【図６】図５のＣ部およびＤ部の拡大図である。
【図７】ビデ洗浄ノズルの洗浄位置からノズル収容部への後退作動の説明図である。
【図８】実施形態２に係る人体局部洗浄装置の説明図である。
【図９】実施形態３に係る人体局部洗浄装置の説明図である。
【図１０】従来技術の人体局部洗浄装置の説明図である。
【発明を実施するための形態】
【００３７】
以下に本発明の実施形態について図面を参照しつつ詳細に説明する。
【００３８】
（実施形態１)
図１は、実施形態１に係る人体局部洗浄装置の説明図である。人体局部洗浄装置１は、おしり洗浄ノズル（洗浄ノズル、第一洗浄ノズル）１０と、ビデ洗浄ノズル（洗浄ノズル、第二洗浄ノズル）２０と、各洗浄ノズル１０、２０を出入り可能に収容するノズル収容部３１、３２から成るケース３０と、おしり洗浄ノズル１０とビデ洗浄ノズル２０を押出す押出部材４０と、押出部材４０を進退させる駆動部４と、を備える。
【００３９】
おしり洗浄ノズル１０は、先端１０ａが閉じられ、他端１０ｂが開口した空洞部１１と、人体局部に洗浄水を噴出する噴出孔１３を設けた洗浄水流路１２と、空洞部１１の内壁に設けた例えば、凹状もしくは穴状のロック部材収容部（係止部用収容部）１４に摺動可能に挿入されるロック部材（係止部）１５と、ロック部材１５に圧縮荷重を付勢する圧縮ばね（付勢部材）１６と、を備える。
【００４０】
同様に、ビデ洗浄ノズル２０は、先端２０ａが閉じられ、他端２０ｂが開口した空洞部２１と、人体局部に洗浄水を噴出する噴出孔２３を設けた洗浄水流路２２と、空洞部２１の内壁に設けたロック部材収容部２４に摺動可能に挿入されるロック部材（係止部）２５と、ロック部材２５に圧縮荷重を付勢する圧縮ばね（付勢部材）２６と、を備える。
【００４１】
また、おしり洗浄ノズル１０の噴出孔１３に対して反対側の洗浄水流路１２の端部には継手１２ａが設けられ、継手１２ａは、ホース１８および弁（図示せず）を介して給水源（図示せず）に接続される。同様に、ビデ洗浄ノズル２０の噴出孔２３に対して反対側の洗浄水流路２２の端部には継手２２ａが設けられ、継手２２ａは、ホース２８および弁（図示せず）を介して給水源（図示せず）に接続される。そして、各洗浄ノズル１０、２０が進退する際に、ホース１８、２８も進退できるように、ケース３０の図１における上面と下面には、それぞれ溝３５、３６が設けられる（図２、図３）。
【００４２】
各洗浄ノズル１０、２０の各開口側には、それぞれガイド孔１７、２７が設けられ、ガイド孔１７、２７にはそれぞれロックピン１９、２９が各空洞部１１、２１内に延在するように挿入される。ロックピン１９のおしり洗浄ノズル１０の開口側の先端１９ｂは、ケース３０に配設したストッパ３３に対面する。同様に、ロックピン２９のビデ洗浄ノズル２０の開口側の先端２９ｂは、ケース３０に配設したストッパ３４に対面する。
【００４３】
ロック部材１５には傾斜面（傾斜）１５ａが設けられ、傾斜面１５ａは空洞部１１の開口１０ｂ側より先端１０ａ側の突出が大きくなるように形成され、傾斜面１５ａにロックピン１９の空洞部１１側の先端１９ａの球面が当接する。同様に、ロック部材２５にも傾斜面（傾斜）２５ａが設けられ、傾斜面２５ａは空洞部２１の開口２０ｂ側より先端２０ａ側の突出が大きくなるように形成され、傾斜面２５ａにロックピン２９の空洞部２１側の先端２９ａの球面が当接する。
【００４４】
そして、傾斜面１５ａ、２５ａの回転防止のため、ロック部材１５、２５の摺動方向に直交する断面は例えば矩形形状をなす。尚、断面が円形形状の場合には、ロック部材１５、２５およびロック部材収容部１４、２４の間には回転防止機構が設けられる。
【００４５】
ロック部材収容部１４、２４は、底部１４ａ、２４ａと、空洞部１１、２１に開口した開口部１４ｂ、２４ｂを備え（図４、図６）、挿入されたロック部材１５、２５と底部１４ａ、２４ａとの間に圧縮ばね１６、２６が設けられる。そして、ロックピン１９と、ロック部材収容部１４と、ロック部材１５と、圧縮ばね１６と、により係止解除機構Ｌ１が形成される。同様に、ロックピン２９と、ロック部材収容部２４と、ロック部材２５と、圧縮ばね２６と、により係止解除機構Ｌ２が形成される。
【００４６】
また、ロック部材１５、２５には、傾斜面１５ａ、２５ａが設けられているが、これに限定されない。例えば、傾斜面１５ａ、２５ａに代わって、凸形球面にしても良く、このロック部材は回転しても良いので回転阻止機構は不要になる。
【００４７】
押出部材４０は、ベルトラック４３と、ベルトラック４３の両端に設けたロックキー（第一ノズル押出部）４１、ロックキー（第二ノズル押出部）４２を備える。押出部材４０の一端側４０ａはロックキー４１が空洞部１１に挿入され、他端側４０ｂはロックキー４２が空洞部２１に挿入され、そして中間部４０ｃはベルトラック４３の略中間が略１８０°曲げられる。
【００４８】
ベルトラック４３は複数の歯４３ａを備え、例えば、樹脂材などで成形され、帯部４３ｂには複数本の金属ワイヤが埋め込まれる。これにより、ベルトラック４３は、柔軟性を備えると共に、圧縮力が作用してもベルトラック４３の座屈を阻止でき、引張力が作用してもベルトラック４３の伸びあるいは切断が阻止され、駆動部４からの圧縮力と引張力をロックキー４１、４２に伝達できる。
【００４９】
そして、略１８０°曲げられたベルトラック４３の間には、ステッピングモータ５とステッピングモータ５に接続したピニオンギヤ６と、を備えた駆動部４が配置される。そして、ピニオンギヤ６とベルトラック４３が、図１における上下の二ヶ所で噛合い、且つ押出部材４０が洗浄ノズル１０、２０と略平行に進退動できるように、噛合部分のベルトラック４３の外側両面の図１における左右に円筒形状のガイドローラ（ガイド部材）７が当接される。ガイドローラ７は、ケース３０に固定した軸８を中心に自在に回転できる。
【００５０】
尚、ガイドローラ７は、湾曲した板形状部材あるいは先端側が凸曲面形状の板部材でも良い。また、ガイドローラ７は４つ配設されているが、ピニオンギヤ６とベルトラック４３との噛合い位置のベルトラック４３の外面上下に各１つ配設しても良い。
【００５１】
次に、人体局部洗浄装置１の作動について説明する。
【００５２】
係止解除機構Ｌ１の係止状態は、圧縮ばね１６の底部１４ａから開口部１４ｂ方向の復元力により空洞部１１に一部が突出したロック部材１５と、おしり洗浄ノズル１０の先端側の先端側内壁１０ｃとの間に形成され空間１０ｄにロックキー４１が収納された状態である。係止解除機構Ｌ１の係止解除状態は、ロックキー４１の図１における右方向（以下、後退方向）の押圧により圧縮ばね１６の底部１４ａから開口部１４ｂ方向の付勢力に抗して、ロック部材１５の突出部分の一部がロック部材収容部１４に押し込まれ、ロックキー４１がロック部材１５を通過可能な状態である。
【００５３】
同様に、係止解除機構Ｌ２の係止状態は、圧縮ばね２６の底部２４ａから開口部２４ｂ方向の復元力により空洞部２１に一部が突出したロック部材２５と、ビデ洗浄ノズル２０の先端側の先端側内壁２０ｃとの間に形成され空間２０ｄにロックキー４２が収納された状態である。係止解除機構Ｌ２の係止解除状態は、ロックキー４２の後退方向の押圧により圧縮ばね２６の底部２４ａから開口部２４ｂ方向の付勢力に抗して、ロック部材２５が突出部分の一部がロック部材収容部２４に押し込まれ、ロックキー４２がロック部材２５通過可能な状態である。
【００５４】
図４は、図１のビデ洗浄ノズルが人体局部洗浄位置にある状態を示す図である。図５は、
図１の各洗浄ノズル１０、２０がノズル収容部３１、３２に収容された状態からビデ洗浄ノズル２０が洗浄位置（図４）に至る一連（（過程１）〜（過程５））の作動を示す説明図である。（過程１）〜（過程５）は以下の通りである。
【００５５】
（過程１）
図１、図５に示すように、ステッピングモータ５は停止状態であり、各洗浄ノズル１０、２０がノズル収容部３１、３２に収容され、係止解除機構Ｌ１、Ｌ２は、ロックキー４１、４２とロック部材１５、２５との隙間Ｘ１を持って係止状態にある。そして、圧縮ばね１６、２６の長さは略自由長のＹ０に保持され、ロック部材１５、２５には圧縮ばね１６、２６の付勢力は殆ど作用していない。
【００５６】
ロックピン１９、２９の先端１９ａ、２９ａの球面は、ロック部材１５、２５の傾斜面１５ａ、２５ａに当接し、他端１９ｂ、２９ｂは間隙Ｘ２を持ってストッパ３３、３４に対面している。
【００５７】
尚、各隙間Ｘ１、Ｘ１は互いに異なった距離でも良く、また、各隙間Ｘ２、Ｘ２も互いに異なった距離でも良い。
【００５８】
（過程２）
ステッピングモータ５（図１）が駆動され、ピニオンギヤ６の矢印Ｒ１方向の回転により、ロックキー４１は距離Ｘ１（図５（（過程１））後退し、ロックキー４２は距離Ｘ１、図５における左方向に移動（以後、前進）する。ロックキー４２は、ピニオンギヤ６とベルトラック４３とを介して伝達されるステッピングモータ５の駆動力で、先端側内壁２０ｃを押圧しながらビデ洗浄ノズル２０を距離Ｘ１前進させる。この間、ロックピン２９もビデ洗浄ノズル２０と一緒に距離Ｘ１前進し、ロック部材２５は図５における上下方向に移動せず、圧縮ばね２６の長さＹ０が保持される。
【００５９】
一方、ロックキー４１は、距離Ｘ１後退してロック部材１５に係合するが、この間、おしり洗浄ノズル１０とロックピン１９は移動せず（過程１）の状態が保持される。
【００６０】
（過程３）
ピニオンギヤ６の矢印Ｒ１方向のさらなる回転により、ロックキー４１は距離Ｘ２（図５（（過程２））後退し、ロックキー４２は距離Ｘ２前進する。これにより、おしり洗浄ノズル１０とロックピン１９は共に距離Ｘ２後退され、先端１９ｂがストッパ３３に当接して、ロックキー４１は係止解除直前状態になる。ビデ洗浄ノズル２０とロックピン２９は共に距離Ｘ２前進するが、ロック部材２５とロックピン２９およびロックキー４２との位置関係は（過程２）の状態が保持された状態となる。
【００６１】
（過程４）
図６の（ａ）と（ｂ）は、それぞれ図５のＣ部とＤ部の拡大図であり、（過程３）と（過程４）とのロック部材１５の位置関係の説明図である。図５、図６に示すように、ピニオンギヤ６の矢印Ｒ１方向の回転に基づくロックキー４１の後退により、ロック部材１５は圧縮ばね１６の付勢力に抗して傾斜面１５ａがロックピン１９の先端１９ａに当接しながら、図５、図６における上向へ距離（Ｙ０−Ｙ１）移動すると共に、おしり洗浄ノズル１０が距離Ｘ３後退して、ロック部材１５の先端１５ｂがロックキー４１の先端４１ａの位置に移動する。これにより、ロックキー４２の先端４１ａがロック部材１５の先端１５ｂを通過できるようになり、係止解除機構Ｌ１が係止解除される。
【００６２】
一方、ロックキー４２は先端側内壁２０ｃを押圧して、ビデ洗浄ノズル２０とロックピン２９とを共に距離Ｘ３前進させる。
【００６３】
尚、Ｙ１は係止解除機構Ｌ１、Ｌ２の係止解除状態での圧縮ばね１６、２６の長さであり、係止解除状態おけるロック部材１５、２５のロック部材収容部１４、２４の底部１４ａ、２４ａからの位置でもある。Ｙ０は、係止解除機構Ｌ１、Ｌ２の係止状態での圧縮ばね１６、２６の長さであり、係止状態におけるロック部材１５、２５のロック部材収容部１４、２４の底部１４ａ、２４ａからの位置でもある。
【００６４】
距離Ｘ３は、ロックピン１９の両端１９ａ、１９ｂがそれぞれロック部材１５の傾斜面１５ａとストッパ３３に当接した状態において、ロック部材１５が距離（Ｙ０−Ｙ１）上向へ移動するために後退する距離である。即ち、距離Ｘ３は、図５（過程３）の位置にあるロックキー４１の先端４１ａと、先端４１ａから後退方向の直線とロック部材１５の傾斜面１５ａとの交点Ｅとの間の距離に相当する（図６（ａ））。
【００６５】
（過程５）
係止解除機構Ｌ１の係止解除と、ピニオンギヤ６の矢印Ｒ１回転により、ロックキー４１の先端４１ａが（過程４）の位置からロック部材１５を通過し始める。この時、圧縮ばね１６の付勢力により、ロック部材１５には図５における下向の力が作用して、おしり洗浄ノズル１０を前進させ元の位置に戻そうとするが、おしり洗浄ノズル１０とノズル収容部３１との間の摩擦力により、おしり洗浄ノズル１０の前進が阻止される。これにより、ロック部材１５の摺動方向の位置は（過程４）の状態が保持され、ロックキー４１がロック部材１５を通過する。
【００６６】
そして、ロックキー４１がノズル収容部３１の先端３１ａから所定位置Ｓ０に至るまでピニオンギヤ６の矢印Ｒ１方向の回転が継続される。これにより、ロックキー４１は、（過程４）の位置から距離Ｘ４後退する。一方、ビデ洗浄ノズル２０とロックピン２９は共に隙間Ｘ４前進し、ビデ洗浄ノズル２０は人体局部洗浄位置に至るが、おしり洗浄ノズル１０とロックピン１９は停止している。
【００６７】
尚、図５の（過程５）に示される一点鎖線は、（過程４）の位置にあるロックキー４１を示す。
【００６８】
図７は、人体局部洗浄位置にあるビデ洗浄ノズル２０がノズル収容部３２に収容される一連（（過程６）〜（過程１０））の作動を示す説明図である。
【００６９】
（過程６）
人体局部の洗浄が終了され、人体局部洗浄位置にあるビデ洗浄ノズル２０がノズル収容部３２に収容開始される前の状態である。ステッピングモータ５は停止されており、各洗浄ノズル１０、２０、ロック部材１５、２５、ロックピン１９、２９、およびロックキー４１、４２は、（過程５）と同じ位置にあり、ロック部材２５とロックキー４２との隙間はＸ１である。
【００７０】
（過程７）
ステッピングモータ５が運転され、ピニオンギヤ６が矢印Ｒ１方向に対して反対のＲ２方向（図４）に回転される。この回転により、ロックキー４２は、ロック部材２５とロックキー４２との隙間Ｘ１（図７（過程６））の距離後退して、ロック部材２５に係合する。一方、ロックキー４１は距離Ｘ１前進する。この間、各洗浄ノズル１０、２０、ロック部材１５、２５、およびロックピン１９、２９は停止している。
【００７１】
（過程８）
係止解除機構Ｌ１は係止解除状態であるので、ピニオンギヤ６のＲ２方向の回転により、ロックキー４１が距離Ｘ５前進すると、ロックキー４１はロック部材１５を通過して、空間１０ｄに入り、先端側内壁１０ｃに当接する。
【００７２】
一方、係止解除機構Ｌ２は係止状態であるので、ロックキー４２は、ピニオンギヤ６とベルトラック４３を介して伝達されたステッピングモータ５の駆動力でロック部材２５を押圧しながら、距離Ｘ５後退する。これにより、ビデ洗浄ノズル２０とロックピン２９も共に距離Ｘ５後退する。
【００７３】
（過程９）
ピニオンギヤ６のＲ２方向の回転により、ロックキー４１はステッピングモータ５の駆動力でおしり洗浄ノズル１０の先端側内壁１０ｃを押圧しながらさらに距離Ｘ３前進する。この間、ロック部材１５の傾斜面１５ａがロックピン１９の先端１９ａの球面に当接しながら、圧縮ばね１６の復元力により図７における下方に距離（Ｙ０−Ｙ１）移動して、ロック部材１５が係止解除位置Ｙ１から係止位置Ｙ０に戻る。この時点で係止解除機構Ｌ１が係止状態に入る。
【００７４】
ロックキー４２は、ステッピングモータ５の駆動力でロック部材２５を押圧しながら、距離Ｘ３後退する。これにより、ビデ洗浄ノズル２０とロックピン２９は、共に距離Ｘ３後退する。この時点で、ノズル収容部３２の先端３２ａとビデ洗浄ノズル２０の先端２０ａとの距離はＸ３になる。
【００７５】
（過程１０）
ロックキー４２は、ステッピングモータ５の駆動力でロック部材２５を押圧しながら、距離Ｘ６（図７（過程９））後退して、ビデ洗浄ノズル２０の先端２０ａとノズル収容部３２の先端３２ａとが合うように、ビデ洗浄ノズル２０をノズル収容部３２に収容すると、ステッピングモータ５が停止される。
【００７６】
ロックキー４１は、ステッピングモータ５の駆動力で先端側内壁１０ｃを押圧しながらおしり洗浄ノズル１０を距離Ｘ６前進させる。これにより、ビデ洗浄ノズル１０の先端１０ａはノズル収容部３１の先端３１ａ内側の僅かに手前で停止される。
【００７７】
以上により、ビデ洗浄ノズル２０はノズル収容部３２に収納され、各洗浄ノズル１０、２０は、図１に示すノズル収容部３１、３２と略同じ位置に収容される。また、ロックキー４１、４２も、図１と同じように、それぞれ係止解除機構Ｌ１、Ｌ２の係止状態に戻る。
【００７８】
おしり洗浄ノズル１０の人体局部洗浄位置への前進作動と、人体局部洗浄位置からノズル収容部３１への収容の後退作動は、ビデ洗浄ノズル２０と同様に行われる。
【００７９】
前述の作動により、人体局部洗浄位置へ移動したおしり洗浄ノズル１０またはビデ洗浄ノズル２０は、各洗浄水流路１２、２２を流通して各噴出孔１３、２３から噴出する洗浄水で人体局部を洗浄する。洗浄を終えたおしり洗浄ノズル１０またはビデ洗浄ノズル２０は、前述の作動により、ノズル収容部３１、３２に収容される。
【００８０】
尚、人体局部洗浄装置１は、水平に対して傾斜して設置しても良く、この場合、各洗浄ノズル１０、２０とノズル収容部３１、３２との間の摩擦力により、各洗浄ノズル１０、２０の重力に基づく移動は阻止される。
【００８１】
以上の構成と作用による効果について説明する。
【００８２】
おしり洗浄ノズル１０の洗浄水流路１３から噴出する洗浄水で人体局部を洗浄する際、汚水や汚物が周囲に飛び散り、おしり洗浄ノズル１０の便器内に露出されている外面には汚水や汚物が付着する。しかし、ロックキー４１とロックキー４１側のベルトラック４３は、おしり洗浄ノズル１０の先端が閉じられた空洞部１１に挿入されているので、ロックキー４１とロックキー４１側のベルトラック４３への汚水や汚物の飛散は阻止される。ビデ洗浄ノズル２０のロックキー４２とロックキー４２側のベルトラック４３についても同様である。
【００８３】
また、各洗浄ノズル１０、２０を出入り（進退）可能に収容するノズル収容部３１、３２を備えている。これにより、人体局部洗浄位置にある各洗浄ノズル１０、２０をノズル収容部３１、３２に引き込むときに、人体局部洗浄の際に各洗浄ノズルの外面に付着した汚水や汚物は、ノズル収容部の引き込み口の先端３１ａ、３２ａで離脱される。結果、ノズル収容部３１、３２には、汚水や汚物が溜まり難い。
【００８４】
以上により、人体局部洗浄の際に飛び散る汚水や汚物の押出部材４０への付着が防止でき、汚水や汚物の付着による作動不良やロックが起り難く、且つ清浄性、清掃性が良好な人体局部洗浄装置１を提供できる。
【００８５】
また、おしり洗浄ノズル１０とビデ洗浄ノズル２０とが略平行に配置されると共に、出部材４０の中間部４０ｃが略１８０°曲げられ、ロックキー４１とロックキー４２とが略平行になるように配置される。さらには、曲げられた押出部材４０の間に駆動部４が配備される。従って、人体局部洗浄装置１の洗浄ノズル進退方向に直交する方向の長さが短縮される。
【００８６】
また、ベルトラック４３の両端にロックキー４１とロックキー４２と、を備えた押出部材４０の中間部４０ｃが曲げられるので、人体局部洗浄装置１の洗浄ノズル進退方向の長さが短縮される。
【００８７】
また、ロックキー４１とロックキー４２はベルトラック４３の両端側に設けられるので、一つの駆動部でロックキー４１とロックキー４２を進退動できる。これにより、ロックキー４１とロックキー４２の一方で先端側内壁１０ｃまたは２０ｃを押圧して、おしり洗浄ノズル１０またはビデ洗浄ノズル２０を人体局部洗浄位置に押出せるので、人体局部洗浄装置１の構成が簡素になる。
【００８８】
一つの駆動部４でロックキー４１を後退させることにより、ロックキー４１の先端４１ａを係止部１５に係止させ、おしり洗浄ノズル１０を人体局部洗浄位置からノズル収容部３１内へ収容でき、ビデ洗浄ノズル２０も同様である。従って、各洗浄ノズル１０、２０をノズル収容部３１、３２内へ収容させる機構が簡素になる。
【００８９】
また、おしり洗浄ノズル１０とビデ洗浄ノズル２０は、それぞれロック部材１５、２５の係止を解除する係止解除機構Ｌ１、Ｌ２を備えている。これにより、例えば、ノズル収容部３１に収容されているおしり洗浄ノズル１０の係止解除機構Ｌ１が解除されている場合は、ロックキー４１の先端４１ａは後退してもロック部材１５を通過できる。従って、おしり洗浄ノズル１０のノズル収容部３１内で停止状態を維持しつつ、ロックキー４１はロック部材１５を通過して、空洞部１１内で後退できる。ロックキー４１が後退すると、ロックキー４２が前進され、ビデ洗浄ノズル２０を押圧して、ノズル収容部３２内のビデ洗浄ノズル２０を人体局部洗浄位置へ移動させる。結果、ノズル収容部３１の長さは、上述のロックキー４１の略後退距離、即ち、ビデ洗浄ノズル２０のノズル収容部３２の位置から人体局部洗浄位置への略移動距離分、短縮できる。同様に、ノズル収容部３２の長さも短縮できる。
【００９０】
以上により、人体局部洗浄装置１は小型になり、人体局部洗浄装置１の設置空間も小さくなる。
【００９１】
また、１つの駆動部４により、おしり洗浄ノズル１０とビデ洗浄ノズル２０を出し入れできるので、駆動部４を駆動および制御する電子回路をも含めた構成部品数が減少され、人体局部洗浄装置１は低コストになる。
【００９２】
さらに、ベルトラック４３の両端側は、各洗浄ノズル１０、２０の先端が閉じられた空洞部１１、２１に挿入されているので、人体局部洗浄の際に、便器内に露出されず、人体局部洗浄装置１は見栄えが良い。
【００９３】
（実施形態２）
図８は、実施形態２に係る人体局部洗浄装置の説明図である。図８において、図１の実施形態１と同じ形状の部品および部位は、図１と同じ符号を付す。図１の人体局部洗浄装置１では押出部材４０を一つ配備しているが、人体局部洗浄装置２は、おしり洗浄ノズル１０側の押出部材５０とビデ洗浄ノズル２０側の押出部材５１と、が配備される。
【００９４】
押出部材５０は、ベルトラック５２と、ベルトラック５２の一端に設けたロックキー（第一ノズル押出部）４１とで構成される。そして、押出部材５０のロックキー４１を備えた一端側５０ａが、おしり洗浄ノズル１０の空洞部１１に挿入される。
【００９５】
同様に、押出部材５１は、ベルトラック５３と、ベルトラック５３の一端に設けたロックキー（第二ノズル押出部）４２とで構成される。そして、押出部材５１のロックキー４２を備えた一端側５１ａが、ビデ洗浄ノズル２０の空洞部２１に挿入される。
【００９６】
ベルトラック５２と、ベルトラック５３は、ステッピングモータ５に接続したピニオンギヤ６を挟んで互いに歯が対面するように配置される。そして、ピニオンギヤ６とベルトラック５２、５３とが噛合うと共に、ベルトラック５２、５３を各洗浄ノズル１０、２０の進退方向に略平行に進退動可能にするため、ベルトラック５２、５３の歯の反対側の面には、ガイドローラ７が噛合部分を跨いで当接される。
【００９７】
また、各洗浄ノズル１０、２０を収容するノズル収容部３１、３２を備えたケース３０の長さを短縮するため、ベルトラック５２、５３のロックキー４１、４２に対して反対側の端部側は湾曲される。
【００９８】
他の構成は、図１の人体局部洗浄装置１と同じであり、作動および効果も人体局部洗浄装置１と同じである。
【００９９】
（実施形態３）
図９は、実施形態３に係る人体局部洗浄装置の説明図であり、係止解除機構が係止解除状態である。図９において、図１の実施形態１と同じ形状の部品および部位は、図１と同じ符号を付す。
【０１００】
人体局部洗浄装置３の係止解除機構Ｌ３、Ｌ４は、吸引部材６３、６４とロック部材（係止部）７２、７７との間の相互関係によって生じる磁力によって係止解除される。係止解除機構Ｌ３は、ノズル収容部６１に設けた吸引部材６３と、おしり洗浄ノズル（洗浄ノズル、第一洗浄ノズル）７０に設けた段付穴（ロック部材収容部、係止部用収容部）７１と、段付穴７１に摺動可能に設けられたロック部材７２と、例えば皿ばね等の圧縮ばね（付勢力）７３と、により構成される。吸引部材６３の固定位置は、ノズル収容部６１におしり洗浄ノズル７０が収容された状態において、段付穴７１の中心と吸引部材６３の中心とが、略一致する。そして、ロック部材７２は、係止解除機構Ｌ３の係止解除状態において、圧縮ばね７３の付勢力により段付穴７１の段部７１ａに当接する鍔部７２ａを備える。
【０１０１】
吸引部材６３とロック部材７２は、少なくともいずれか一方が磁気を発生し、他方は磁気によって吸引される部材である。例えば、吸引部材６３は、ロック部材７２の摺動方向に磁化された永久磁石また電磁石で、ロック部材７２は磁性材からなる。
【０１０２】
同様に、係止解除機構Ｌ４は、ノズル収容部６２に固定した吸引部材６４と、ビデ洗浄ノズル（洗浄ノズル、第ニ洗浄ノズル）７５の段付穴（ロック部材収容部、係止部用収容部）７６と、段付穴７６に摺動可能に設けられたロック部材７７と、例えば皿ばね等の圧縮ばね（付勢力）７８と、により構成される。吸引部材６４の固定位置は、ビデ洗浄ノズル７５がノズル収容部６２に収容された状態において、段付穴７６の中心と吸引部材６４の中心とが、略一致する。そして、ロック部材７７は、係止解除機構Ｌ４の係止解除状態において、圧縮ばね７８の付勢力により段付穴７６の段部７６ａに当接する鍔部７７ａを備える。吸引部材６４とロック部材７７は、少なくともいずれか一方が磁気を発生し、他方は磁気によって吸引される部材である。例えば、吸引部材６４は、ロック部材７７の摺動方向に磁化された永久磁石または電磁石で、ロック部材７７は磁性材からなる。
【０１０３】
おしり洗浄ノズル７０、ビデ洗浄ノズル７５には、先端７０ａ、７５ａが閉じられ、他端７０ｂ、７５ｂが開口された空洞部７４、７９がそれぞれ設けられる。そして段付穴７１、７６の小径側は、ロック部材７２、７７が空洞７４、７９に突出できるように、それぞれ空洞部７４、７９に開口される。
【０１０４】
押出部材４０のロックキー（第一ノズル押出部）４１を備えた一端側４０ａはおしり洗浄ノズル７０の空洞部７４に挿入され、ロックキー（第二ノズル押出部）４２を備えた他端側４０ｂはビデ洗浄ノズル７５の空洞部７９に挿入される。
【０１０５】
ノズル収容部６１、６２は、それぞれ、おしり洗浄ノズル７０、ビデ洗浄ノズル７５が出し入れできるように先端６１ａ、６２ａが開口され、ノズル収容部６１とノズル収容部６２によりケース６０が構成される。他の構成は、図１の人体局部洗浄装置１と同じである。
【０１０６】
ピニオンギヤ６のＲ１方向の回転により、おしり洗浄ノズル７０を人体局部洗浄位置からノズル収容部６１に収容する際に、ロックキー４１が係止解除機構Ｌ３の係止状態のロック部材７２を押圧する。これにより、おしり洗浄ノズル７０のロック部材７２の中心は、ノズル収容部６１の吸引部材６３の中心近傍に引き込まれる。すると、吸引部材６３とロック部材７２との間の磁力の相互作用により、ロック部材７２が圧縮バネ力７３の付勢力に抗して吸引部材６３に吸引され、図９における上方に移動し、係止解除機構Ｌ３が解除される。そして、ピニオンギヤ６のＲ１方向のさらなる回転により、ロックキー４１の先端４１ａがロック部材７２を通過して、ロックキー４１が空洞部７４内で後退する。
【０１０７】
係止解除機構Ｌ３によるロック部材７２の係止解除状態において、ピニオンギヤ６のＲ２方向の回転により、ロックキー４１はロック部材７２より図９における右側にある位置から左側に前進して、ロック部材７２を通過する。そして、おしり洗浄ノズル７０の先端側内壁７０ａに当接し、ロックキー４１が先端側内壁７０ａを押圧して、ロック部材７２の中心が吸引部材６３から遠ざかる位置に前進する。すると、圧縮バネ力７３の付勢力が磁気による吸引力に打ち勝ち、ロック部材７２の鍔部７２ａが段付穴７１の段部７１ａに当接して、係止解除機構Ｌ３が係止状態になる。
【０１０８】
また、係止解除機構Ｌ４は、係止解除機構Ｌ３と同様に作動する。人体局部洗浄装置３の他の作動は、人体局部洗浄装置１と同じである。
【０１０９】
尚、ロック部材７２、７７は、吸引部材６３、６４の磁力によりに吸引されるので、実施形態１のロック部材１５、２５の傾斜面１５ａ、２５ａ（図１）を設けなくて良く、例えば、傾斜面に代わって、ロックキー４１、４２の移動方向に平行な面でも良い。
【０１１０】
以上により、人体局部洗浄装置３は、人体局部洗浄装置１と同じ効果を生じると共に、さらに、以下の効果が生じる。
【０１１１】
即ち、図１のロックピン１９、２９とストッパ３３、３４が不要になるので、人体局部洗浄装置３は、人体局部洗浄装置１に比べて、洗浄ノズルの進退方向の長さが短縮できる。
【０１１２】
また、係止解除機構Ｌ３、Ｌ４は、磁力によりロック部材７２、７７を吸引して係止解除を行うので、各洗浄ノズル７０、７５と、ノズル収容部６１、６２との間の摩擦力に依存せずに係止解除状態を維持できる。
【符号の説明】
【０１１３】
１、２、３  人体局部洗浄装置
４  駆動部
７  ガイドローラ（ガイド部材）
１０、７０  おしり洗浄ノズル（洗浄ノズル、第一洗浄ノズル）
１０ａ、２０ａ、７０ａ、７５ａ  先端
１０ｂ、２０ｂ、７０ｂ、７５ｂ  他端
１１、２１、７４、７９  空洞部
１２、２２  洗浄水流路
１４、２４  ロック部材収容部（係止部用収容部）
１４ａ、２４ａ  底部
１４ｂ、２４ｂ  開口部
１５、２５、７２、７７  ロック部材（係止部）
１５ａ、２５ａ  傾斜面（傾斜）
１６、２６、７３、７８  圧縮ばね（付勢部材）
１９、２９  ロックピン
２０、７５  ビデ洗浄ノズル（洗浄ノズル、第二洗浄ノズル）
３１、３２、６１、６２  ノズル収容部
３３、３４  ストッパ
４０、５０、５１  押出部材
４０ａ、５０ａ  一端側
４０ｂ、５１ａ  他端側
４０ｃ  中間部
４１  ロックキー（第一ノズル押出部）
４２  ロックキー（第二ノズル押出部）
６３、６４  吸引部材
７１、７６  段付穴（係止部用収容部）
Ｌ１、Ｌ２、Ｌ３、Ｌ４  係止解除機構
【図１】
0005720217.tif 000002
【図２】
0005720217.tif 000003
【図３】
0005720217.tif 000004
【図４】
0005720217.tif 000005
【図５】
0005720217.tif 000006
【図６】
0005720217.tif 000007
【図７】
0005720217.tif 000008
【図８】
0005720217.tif 000009
【図９】
0005720217.tif 000010
【図１０】
0005720217.tif 000011